(57)【特許請求の範囲】
【請求項１】
多数個のピンチを備えた本体枠が、一対の吊下げワイヤーを介して吊手に吊持されるものとなされた物干器において、
前記各吊下げワイヤーは、下端が本体枠に係止される一対の脚部と、該両脚部の上端から横方向に延設された連結部と、該連結部中央に設けられ吊手を本体枠中央上方に位置させる門形状吊手保持部とを備えると共に、前記門形状吊手保持部から吊手を任意に移動させて本体枠近傍上方に位置変更可能に形成されていることを特徴とする物干器。
【請求項２】
前記吊手は、ワイヤージョイントを介して各吊下げワイヤーに連結されると共に、ワイヤージョイントの長さ方向の軸回りに揺動自在となされ、
前記ワイヤージョイントは、ワイヤーの径方向への移動を許容するワイヤー挿通用長孔を備えると共に、挿通用長孔の長さが門形状吊手保持部の脚部の長さよりも大に設定されてなる請求項１に記載の物干器。
【請求項３】
前記吊手が、一対の竿掛け用挟持部材と、挟持部材の一方に外向きに突設された鉤部とを備えている請求項１又は２に記載の物干器。
【発明の詳細な説明】
【技術分野】
【０００１】
この発明は、本体枠に多数個のピンチが取り付けられてなる物干器、特に壁際においても物干器としての好適な水平姿勢を保つことのできる物干器に関する。
【背景技術】
【０００２】
この種の物干器に関しては、従来から種々の提案がなされており、例えば、方形の本体枠の対角間を結ぶ一対の吊下げ紐の交差部を跨ぐように設けられた吊手を、交差部の位置を変更させながら吊手の位置を変更させることによって、吊手を本体枠中央上部から本体枠近傍上方に位置変更できるようになされたものが公知である。
【特許文献１】特開２００２−３３１１９９号公報（図１）
【発明の開示】
【発明が解決しようとする課題】
【０００３】
しかしながら、上記物干器は、吊下げ紐が柔軟なものであって初めて所期する目的が達成するものであって、物干器の吊下げ用部材として一般に用いられている針金等の金属からなる吊下げワイヤーに適用することができない。
【０００４】
この発明は、このような事情に鑑みてなされたもので、針金等の金属からなる吊下げワイヤーを備えた物干器を壁際に吊り下げる際にも本体枠の好適な水平状態を保持しうる物干器を提供することを目的とする。
【課題を解決するための手段】
【０００５】
上記目的を達成するために、請求項１記載の発明の物干器は、
多数個のピンチを備えた本体枠が、一対の吊下げワイヤーを介して吊手に吊持されるものとなされた物干器において、前記吊下げワイヤーは、吊手を本体枠中央上方に位置させる吊手保持部が設けられると共に、前記吊手保持部から吊手を任意に移動させて本体枠近傍上方に位置変更可能に形成されている構成を採用する。
【０００６】
請求項２記載の発明の物干器は、請求項１の構成に加えて、
前記各吊下げワイヤーは、下端が本体枠に係止される一対の脚部と、該両脚部の上端から横方向に延設された連結部と、該連結部中央に設けられた門形状吊手保持部とを備えてなる構成を採用する。
【０００７】
請求項３記載の発明の物干器は、請求項１又は請求項２の構成に加えて、
前記吊手は、ワイヤージョイントを介して各吊下げワイヤーに連結されると共に、ワイヤージョイントの長さ方向の軸回りに揺動自在となされ、
前記ワイヤージョイントは、ワイヤーの径方向への移動を許容するワイヤー挿通用長孔を備えると共に、挿通用長孔の長さが門形状吊手保持部の脚部の長さよりも大に設定されてなる構成を採用する。
【０００８】
請求項４記載の発明の物干器は、請求項１ないし請求項３の構成に加えて、
前記吊手が、一対の竿掛け用挟持部材と、挟持部材の一方に外向きに突設された鉤部とを備えている構成を採用する。
【発明の効果】
【０００９】
請求項１記載の発明の物干器は、吊下げワイヤーが、吊手を本体枠中央上方に位置させる吊手保持部が設けられているので、吊手を本体枠中央上方に位置させた通常の使用状態、すなわち物干し竿等に吊り下げた状態において、吊手が不本意に移動することがなく好適な吊下げ状態が得られる。また、前記吊手保持部から吊手を任意に移動させて本体枠近傍上方に位置変更可能に形成されているので、前記通常の使用状態から吊手を本体枠近傍上方に移動させやすく、かつその位置において壁等に吊りかけた物干器の本体枠を壁等に接触させることにより、本体枠の好適な水平状態が得られる。
【００１０】
請求項２記載の発明の物干器は、請求項１記載の発明の奏する効果に加えて、
前記各吊下げワイヤーは、下端が本体枠に係止される一対の脚部と、該両脚部の上端から横方向に延設された連結部と、該連結部中央に設けられた門形状吊手保持部とを備えているので、これらを一本のワイヤーを屈曲させて形成できるから製作しやすい。
【００１１】
また、吊手保持部が門形状に形成されていから、物干器の吊下げ状態における吊手保持部からの吊手の不本意な移動を確実に防止することができ、より一層安定した吊下げ状態が得られると言う効果を奏する。
【００１２】
請求項３記載の発明の物干器は、請求項１又は請求項２記載の発明の奏する効果に加え
て、
前記吊手は、ワイヤージョイントを介して各吊下げワイヤーに連結されると共に、ワイヤージョイントの長さ方向の軸回りに揺動自在となされ、前記ワイヤージョイントは、ワイヤーの径方向への移動を許容するワイヤー挿通用長孔を備えると共に、挿通用長孔の長さが門形状吊手保持部の脚部の長さよりも大に設定されているので、吊手の吊手保持部か
ら本体枠近傍上方への位置変更がスムーズに行えるという効果を奏する。
【００１３】
請求項４記載の発明の物干器は、請求項１ないし請求項３の構成に加えて、
前記吊手が、一対の竿掛け用挟持部材と、挟持部材の一方に外向きに突設された鉤部とを備えているので、壁際等への吊り掛けもより一層行いやすいという効果を奏する。
【発明を実施するための最良の形態】
【００１４】
以下、この発明を図示実施形態に基づいて説明する。図１〜図４に示すように、この発明に係る物干器（Ａ）は、アルミニウム製の本体枠（１０）と、針金等の金属からなる一対の吊下げワイヤー（２０）（２０）とプラスチック製の吊手（３０）とを基本的な構成要素として備えている。
【００１５】
本体枠（１０）は、多数個のピンチ（１５）（１５）が取り付けられた一対の枠体（１１）（１１）が、軸受け部材（５）（５）によって展開状態と二つ折り状態とに相互に変更自在に連結されている。
【００１６】
前記ピンチ（１５）は、吊下げ紐（１６）を介して、枠体（１１）に固定されたピンチ取付部材（１７）に取り付けられている。また、ピンチ取付部材（１７）のうち、枠体（１１）の隅部に近接するものには、吊下げワイヤー支持部（１８）が設けられ、吊下げワイヤー脚部（２１）の下端部が挿通係止されるものとなされている。
【００１７】
吊下げワイヤー（２０）は、図１及び図２に示すように、下端が前記本体枠の吊下げワイヤー支持部（１８）に係止される一対の脚部（２１）（２１）と、該両脚部の上端から横方向に延設された連結部（２２）と、該連結部中央に設けられ吊手（３０）を本体枠（１０）中央上方に位置させる門形状吊手保持部（２３）とを備えている。また、吊下げワイヤー（２０）は、吊手（３０）を吊手保持部（２３）から任意に吊下げワイヤー脚部（２１）に近づけるように移動させて、連結部本体枠（１０）近傍上方に位置変更可能に形成されている。
【００１８】
前記連結部（２２）の中間部には、屈曲部（２２ａ）が設けられている。図中、（２３ａ）は、吊手保持部の水平部、（２３ｂ）は、吊手保持部の脚部である。）（２４）は、一対の脚部（２１）（２１）に渡しかけられた補強用横桟である。
【００１９】
前記吊手（３０）は、吊手本体（３１）と受具（３５）とを具備している。吊手本体（３１）は、プラスチック製の一対の挟持部材（３２）（３２）と、受具（３５）に直結する方の挟持部材（３２）上部に突設された鉤部（３３）とを有している。該鉤部（３３）は、図３に示すように、鉤部として機能しうる所定位置と、挟持部材（３２）に接近させた位置とに位置変更可能に回動自在に挟持部材（３２）に取り付けられている。
【００２０】
前記挟持部材（３２）（３２）は、常時、ばね（図示省略）により閉じ合わせ方向に付勢されており、所定の操作によって開放できるように構成されている。
【００２１】
また、吊手本体（３１）は、受具（３５）に対して垂直軸回りに回動可能に取り付けられると共に、受具（３５）は、ワイヤージョイント（４０）を介して各吊下げワイヤー（２０）（２０）に、上下方向に回動自在に連結されている。
【００２２】
前記ワイヤージョイント（４０）は、ワイヤージョイント本体（４１）と、ワイヤージョイント本体（４１）を受具（３５）に連結する連結部（４２）とからなり、ワイヤージョイント本体（４１）が、幅方向軸回りに回動自在に連結部（４２）に結合されている。
【００２３】
また前記ワイヤージョイント本体（４１）は、吊下げワイヤー（２０）の径方向への移動を許容するワイヤー挿通用長孔（４１ａ）を備えると共に、該挿通用長孔（４１ａ）の長さが門形状吊手保持部脚部（２３ｂ）の長さよりも大に設定されている。
【００２４】
而して、上記物干器（Ａ）は、保管、収納時においては、本体枠（１０）をその一方の枠体（１１）を他方の枠体（１１）に重ね合わせるように二つ折り状態に折り畳まれているものである。使用に際しては、その二つ折り状態から展開して使用するようにすることは従来の折り畳み式物干器と同様である。
【００２５】
図１は、物干器（Ａ）を前記折り畳み状態から展開し、本体枠（１０）に対して吊手（３０）を最大持ち上げた状態、すなわち図３に示すような実質的に吊手（３０）を物干し竿（Ｓ）に掛けて物干器（Ａ）を吊り下げた状態を示すものである。この状態においては、吊手（３０）を相対的に吊手保持部（２３）から抜け出させる力が作用しても、吊手が不本意に抜け出してしまうことはない。ワイヤージョイント本体（４１）が、吊手保持部の脚部（２３ｂ）に圧接することになるからである。
【００２６】
このような通常の吊下げ状態から、図４に示すように物干器（Ａ）を壁（Ｗ）に近づけて吊り下げようとする場合には、吊手（３０）を吊手保持部（２３）に保持されている位置から、吊下げワイヤー脚部（２１）に移動させなければならないが、次にその移動操作について説明する。
【００２７】
まず、図１ないし図３に示すような吊下げ状態から物干器（Ａ）をいったん解放し、吊手（３０）と吊下げワイヤー（２０）（２０）との相対的な荷重を解いた状態にすると、ワイヤージョイント（４０）が連結部（４２）に対して回動自在となると共に、吊手保持部水平部（２３ａ）をワイヤー挿通用長孔（４１ａ）内を任意に移動させることが可能となる。図５はその弛緩状態を示すものである。
そこで、上記弛緩状態から図６に示すように、一方のワイヤージョイント本体（４１）を吊手保持部脚部（２３ｂ）よりも下方（図６中では右方に）大きく移動させる。次に、該ワイヤージョイント本体（４１）を図７に示すように吊手保持部脚部（２３ｂ）を乗り越えるように側方（図７では下方に）に移動させることによりワイヤージョイント本体（４１）を本体枠近傍上方位置に移動させることができる。
【００２８】
他方のワイヤージョイント本体（４１）も同様にして移動させることになるが、先のワイヤージョイント本体（４１）が図７のような位置にある時に、他方のワイヤージョイント本体（４１）の移動を開始させると両方のワイヤージョイント本体（４１）の移動がスムーズに行えることになる。
【００２９】
このようにして、吊手（３０）を吊手保持部脚部（２３ｂ）に近づけ、連結部（４２）の脚部寄り端部に位置させ、かつ枠体（１１）（１１）を壁（Ｗ）に沿わせるようにして鉤部（３３）を用いて物干器（Ａ）を壁際に吊り下げると、図４に示すように、枠体（１１）を水平状態とした好適な吊下げ状態が得られる。
【００３０】
なお、上記実施形態の物干器（Ａ）においては、一対の挟持部材と鉤部とを備えた吊手（３０）が用いられているが、吊手は、単なる鉤状のものでも良い。また、吊手も合成樹脂製でなくても吊下げワイヤーと同様の針金製のものでも良い。
【００３１】
また、吊下げワイヤーの形状も特にこの実施形態の形状に限定されるものではない。
【図面の簡単な説明】
【００３２】
【図１】この発明に係る物干器の斜視図である。
【図２】同平面図である。
【図３】同物干器を物干竿に吊した状態の側面図である。
【図４】同物干器を壁際に吊した状態の側面図である。
【図５】吊り手の移動開始前の概略平面図である。
【図６】同吊り手の移動開始時の概略平面図である。
【図７】同吊り手が吊下げワイヤーの中央保持部から抜け始める際の概略平面図である。
【図８】（イ）は、図５の要部断面図、（ロ）は、図６の要部断面図、（ハ）は図７の要部断面図である。
【符号の説明】
【００３３】
Ａ…物干器
10…本体枠
15…ピンチ
20…吊下げワイヤー
21…吊下げワイヤー脚部
22…吊下げワイヤー連結部
23…吊手保持部
30…吊手
40…ワイヤージョイント
41ａ…ワイヤー挿通孔
【図１】
0004455463.tif 000002
【図２】
0004455463.tif 000003
【図３】
0004455463.tif 000004
【図４】
0004455463.tif 000005
【図５】
0004455463.tif 000006
【図６】
0004455463.tif 000007
【図７】
0004455463.tif 000008
【図８】
0004455463.tif 000009